(57)【特許請求の範囲】
【請求項１】
開閉カバーにラッチ部を備え、装置本体側に前記ラッチ部と嵌合して開閉カバーを固定するラッチ受部を備え当該開閉カバーを開閉可能とした現金処理装置において、
前記ラッチ部を固定するラッチ部固定板と、
前記ラッチ部固定板の前記開閉カバーを閉じる方向を固定する第１の固定手段と、
前記開閉カバーの開閉方向と略垂直方向に前記ラッチ部固定板を固定し、前記閉じる方向に前記ラッチ部固定板と所定の隙間をもって固定する第２の固定手段と、を備えたことを特徴とする現金処理装置。
【請求項２】
前記第１の固定手段は、前記ラッチ部固定板に固定板突起若しくは固定板リブまたは両方を備え、前記開閉カバーに前記固定板突起を差込む固定板差込孔若しくは前記固定板リブを差込む固定板リブ差込孔または両方を備え、それぞれ嵌合して固定するようにしたことを特徴とする請求項１記載の現金処理装置。
【請求項３】
前記第２の固定手段は、固定ネジと、段差を備えたボス部とからなり、前記開閉カバーを閉じる方向に前記ラッチ部固定板と所定の隙間を設けて前記開閉カバーに固定するようにしたことを特徴とする請求項１記載の現金処理装置。
【請求項４】
前記第２の固定手段は、爪部を備えたボス部からなり、前記開閉カバーを閉じる方向にラッチ部固定板と所定の隙間を設けて前記開閉カバーに固定するようにしたことを特徴とする請求項１記載の現金処理装置。
【発明の詳細な説明】
【技術分野】
【０００１】
本発明は、硬貨等の現金を取り扱う現金処理装置における開閉カバーの固定構造に関するものである。
【背景技術】
【０００２】
従来、開閉カバーの固定構造としては、開閉カバーを装置筐体にネジで固定する構造が一般的であり、このネジ止めによる構造では、開閉カバーを開けるときにはネジを外し、開閉カバーを閉じるときはネジを取り付ける作業が発生し、ドライバー等の治具が必要であり、作業も面倒であった。
【０００３】
この問題を解決するために、図５（ａ）に示したように硬貨払出装置１０５において、底面カバー１０８の一端にラッチ部１０９を配設して底面カバー１０８と装置本体１０５ａと係合して閉じ、ラッチを解除して矢印Ｚのように開くようにした技術はあった（例えば、特許文献１参照。）。
【０００４】
或いは、図５（ｂ）のように、ラッチ部１０９を固定ネジ１０９ａおよび１０９ｂにて開閉カバー３に固定し、図示しないラッチ受部を装置本体に備え、開閉カバー３を閉めるときに前記ラッチ部１０９を前記ラッチ受部に嵌合して固定する方法が採られていた。
【先行技術文献】
【特許文献】
【０００５】
【特許文献１】特開平７−２７２０６８号公報
【発明の概要】
【発明が解決しようとする課題】
【０００６】
しかしながら、上記の従来の構成では、開閉カバーに、直接、ラッチ部が取り付けられているために、開閉カバーを開くときの解除力によりネジやネジ受け、若しくはラッチ部に応力が集中し、最悪の場合、これらが破損するなどの問題があった。
【課題を解決するための手段】
【０００７】
本発明は、前述の課題を解決するために次の構成を採用する。すなわち、開閉カバーにラッチ部を備え、装置本体側に前記ラッチ部と嵌合して開閉カバーを固定するラッチ受部を備え当該開閉カバーを開閉可能とした現金処理装置において、前記ラッチ部を固定するラッチ部固定板と、前記ラッチ部固定板の前記開閉カバーを閉じる方向を固定する第１の固定手段と、前記開閉カバーの開閉方向と略垂直方向に前記ラッチ部固定板を固定し、前記閉じる方向に前記ラッチ部固定板と所定の隙間をもって固定する第２の固定手段と、を備えた
【発明の効果】
【０００８】
本発明の現金処理装置によれば、以上のように構成したので、開閉カバーを開くときの解除力により固定ネジやネジ受けに応力が集中することがなく、これらの破損を防止することができる。
【図面の簡単な説明】
【０００９】
【図１】実施例１の現金処理装置の外観斜視図である。
【図２】実施例１の現金処理装置の外観斜視図である。
【図３】実施例１の現金処理装置の固定部の構成図である。
【図４】実施例２の現金処理装置の固定部の構成図である。
【図５】従来の現金処理装置の開閉カバーの固定構造である。
【発明を実施するための形態】
【００１０】
以下、本発明に係わる実施の形態例を、図面を用いて説明する。図面に共通する要素には同一の符号を付す。なお、以下の説明では、硬貨等の現金を取り扱う現金処理金装置を例として説明するが、開閉カバーを開閉して保守等を行う装置であれば本発明を適用することができる。
【実施例１】
【００１１】
（構成）
実施例１の現金処理装置の構成を図１および図２の外観斜視図、図３の開閉カバー３の固定部の構成図を用いて以下詳細に説明する。なお、図１は詳細後述の開閉カバー３を閉じた状態を示し、図２は開閉カバー３を開いた状態を示しており、図３（ａ）は開閉カバー３の固定部周辺を下側から見た斜視図であり、図３（ｂ）は図３（ａ）のＸ−Ｘ断面図である。
【００１２】
図１に示したように、実施例１の現金処理装置１は、硬貨を投入するための硬貨投入口２１と、紙幣を投入するための紙幣投入口２と、装置内部の保守等を行うときに開閉する開閉カバー３と、開閉カバー３に実装されオペレータや保守員、警送員等（以下、「オペレータ等」という）が操作する操作部４と、オペレータ等がそれぞれ所持する磁気カードの磁気データを読取るカード読取部５と、回収した硬貨紙幣を格納する金庫部６と、開閉カバー３を開くときに持つ取っ手７を備える。
【００１３】
開閉カバー３には、回転軸８が図２の矢印Ａのように開くように左右に設けられており、ラッチ部固定板１１に搭載されたラッチ部９は、図３（ａ）、（ｂ）に示したようにラッチ部固定ネジ９ａ、９ｂにより固定されている。
【００１４】
装置本体側には、図２の矢印Ｂのように開閉カバー３を閉じたときに、ラッチ部９と嵌合して開閉カバー３を固定するラッチ受部１２が備えられている。
【００１５】
そして、ラッチ部固定板１１には、第１の固定手段として、開閉カバー３に設けられた固定板差込孔１３と、固定板リブ保持部１８により形成された固定板リブ差込孔１７とにそれぞれ嵌合させて、開閉カバー３を閉じる方向（矢印Ｂ方向）に固定する固定板突起１１ａと固定板リブ１１ｂが備えられている。
【００１６】
また、図３（ｂ）のように、ラッチ部固定板１１の固定板突起１１ａが外れないように開閉カバー３の開閉方向と略垂直方向の矢印Ｃ方向を固定する第２の固定手段として、ラッチ部固定板１１の開閉カバー３を開く方向（矢印Ａ方向）を固定しネジ受けとなるボス部１６に段差を設け、ラッチ部固定板１１と開閉カバー３を閉じる方向（矢印Ｂ方向）に隙間１６ａが設けられて固定ネジ１４にて開閉カバー３に固定されるようになっている。
【００１７】
なお、開閉カバー３には、開閉カバー３の位置決めを行うための位置決め用差込部１９が備えられており、装置本体側には図示していないが開閉カバー３を閉じたときに嵌合して位置決めする凹形状が備えられている。
【００１８】
（動作）
以上の構成により実施例１の現金処理装置１は、以下のように動作する。この動作を前出図１ないし図３を用いて以下詳細に説明する。
【００１９】
まず、オペレータ等がそれぞれ所持する磁気カードをカード読取部５に通すと、記録された磁気データをカード読取部５にて読み取り、操作者がオペレータ、保守員、警送員のいずれであるかを判定し、当該判定結果に応じて操作モードを切り替え、紙幣や硬貨の入金操作や、金庫部６から現金の回収操作、メンテナンス操作などを行う。
【００２０】
そして、保守員や警送員が、金庫部６からの現金の回収操作、メンテナンス操作などを行うときに、取っ手７を持って図２の矢印Ａのように開閉カバー３を開ける。
【００２１】
このとき、ラッチ部９には矢印Ｂ方向のラッチ解除力がかかる。そして、ラッチ部９にかかったラッチ解除力がラッチ部固定板１１にかかり、開閉カバー３に設けられた固定板差込孔１３および固定板リブ差込孔１７がラッチ解除力を間接的に受ける。
【００２２】
そして、固定ネジ１４には、ボス部１６の段差１６ｂによりラッチ部固定板１１と隙間１６ａが設けられているので、前記ラッチ解除力は固定ネジ１４にはかからず、固定板差込孔１３および固定板リブ差込孔１７にかかり、固定板差込孔１３は複数個配置されているので、前記ラッチ解除力が分散されて荷重される。
【００２３】
なお、以上の実施例の説明では、固定板差込孔１３に固定板突起１１ａを挿入し固定板リブ差込孔１７に固定板リブ１１ｂを挿入して開閉カバー３を閉じる方向にラッチ部固定板１１を固定するように説明したが、固定板差込孔１３と固定板突起１１ａのみで開閉カバー３を閉じる方向にラッチ部固定板１１を固定する構成としてもよいし、固定板リブ差込孔１７とラッチ部固定板リブ１１ｂのみで開閉カバー３を閉じる方向にラッチ部固定板１１を固定する構成としてもよい。
【００２４】
（実施例１の効果）
以上のように、実施例１の現金処理装置によれば、開閉カバーにラッチ部を備え、装置本体側に前記ラッチ部と嵌合して開閉カバーを固定するラッチ受部を備え当該開閉カバーを開閉可能とした現金処理装置において、前記ラッチ部を固定するラッチ部固定板と、前記ラッチ部固定板の前記開閉カバーを閉じる方向を固定する第１の固定手段と、前記開閉カバーの開閉方向と略垂直方向に前記ラッチ部固定板を固定し、前記閉じる方向に前記ラッチ部固定板と所定の隙間をもって固定する第２の固定手段と、を備えたので、開閉カバーを開くときの解除力により固定ネジやボス部に応力が集中することがなく、これらの破損を防止することができる。
【実施例２】
【００２５】
（構成）
図４（ａ）、（ｂ）は、実施例２の現金処理装置１の開閉カバー３の固定部の構成を示した図である。なお、図４（ａ）は、開閉カバー３の固定部周辺を下側から見た斜視図であり、図４（ｂ）は、図４（ａ）のＸ−Ｘ断面図である。
【００２６】
同図に示したように、実施例２の現金処理装置１では、ラッチ部固定板１１の固定板突起１１ａが外れないように開閉カバー３の開閉方向と略垂直方向の矢印Ｃ方向を固定する第２の固定手段として、開閉カバー３を閉じる方向（矢印Ｂ方向）にラッチ部固定板１１と隙間２０ａを設けた爪部２０をボス部１６に備えている。その他の構成は実施例１の現金処理装置と同様であるので簡略化のためにその詳細な説明は省略する。
【００２７】
（動作）
以上の構成により、実施例２の現金処理装置は、以下のように動作する。この動作を前出図４を用いて以下詳細に説明する。
【００２８】
すなわち、実施例２の現金処理装置では、実施例１の現金処理装置１と同様、ラッチ部固定板１１の固定板突起１１ａを開閉カバー３の固定板差込孔１３に差し込み、固定板リブ１１ｂを固定板リブ差込孔１７に差し込む。そして、爪部２０にラッチ部固定板１１を押し付けてロックし、固定する。
【００２９】
その結果、開閉カバー３を閉じる方向である矢印Ｂ方向は固定板突起１１ａおよび固定板リブ１１ｂにてラッチ部固定板１１が固定され、開閉カバー３を開く方向である矢印Ａ方向はボス部１６にて固定され、開閉カバー３の開閉方向と略垂直方向の矢印Ｃ方向は、爪部２０により移動することがないため、固定板突起１１ａは外れない。
【００３０】
なお、爪部２０は、開閉カバー３を閉じる方向（矢印Ｂ方向）にラッチ部固定板１１と隙間２０ａが設けられているので、実施例１と同様、ラッチ解除力が爪部２０にはかからず、固定板差込孔１３および固定板リブ差込孔１７にかかり、固定板差込孔１３は複数個配置されているので、前記ラッチ解除力が分散されて荷重される。
【００３１】
（実施例２の効果）
以上のように、実施例２の現金処理装置によれば、開閉カバーの開閉方向と略垂直方向を固定する第２の固定手段は、ラッチ部固定板と開閉カバーを閉じる方向に所定の隙間を設けて前記開閉カバーに固定する爪部を備えたので、実施例１の現金処理装置の効果に加え、容易にラッチ部固定板を固定することができ、部品数も少なくすることができる。
【産業上の利用可能性】
【００３２】
以上述べたように、本発明は、開閉カバーに備えたラッチ部と装置本体側に当該ラッチ部と嵌合して開閉カバーを固定するラッチ受部とを備えて当該開閉カバーを開閉する現金処理装置に広く用いることができる。
【符号の説明】
【００３３】
１    現金処理装置
３    開閉カバー
７    取っ手
８    回転部
９    ラッチ部
９ａ、９ｂ  ラッチ部固定ネジ
１１  ラッチ部固定板
１１ａ  固定板突起
１１ｂ  固定板リブ
１２  ラッチ受部
１３  固定板差込孔
１４  固定ネジ
１６  ボス部
１６ａ、２０ａ  隙間
１６ｂ  段差
１７  固定板リブ差込孔
１８  固定板リブ保持部
１９  位置決め用差込部
２０  爪部
【図１】
0005589761.tif 000002
【図２】
0005589761.tif 000003
【図３】
0005589761.tif 000004
【図４】
0005589761.tif 000005
【図５】
0005589761.tif 000006